(57)【要約】【構成】  電位治療器の施術シートは、可撓性の第１のシートと、導電性でかつ可撓性の第２のシートと、可撓性の表地とを備えている。施術シートでは、カーボンもしくは貴金属から成る突起が、第２のシートに電気的に接続されると共に前記表地を貫通して、表地上に複数個配列されている。【効果】  人体の広い範囲に施術でき、鍼法的効果があり、かつ金属針によるアレルギーが無い。【選択図】    図２
2014039773.tif 000002
【特許請求の範囲】
【請求項１】
電位治療器本体に接続される施術シートであって、
少なくとも、可撓性の第１のシートと、導電性でかつ可撓性の第２のシートと、可撓性の表地とがこの順に積層され、
カーボンもしくは貴金属から成る突起が、第２のシートに電気的に接続されると共に表地を貫通し、
さらに前記突起が表地上に複数個配列されている、ことを特徴とする施術シート。
【請求項２】
第２のシートは炭素繊維のシートで、
前記突起は棒状のカーボンから成り、第２のシートを貫通すると共に、第１のシート中に基部が埋め込まれている、ことを特徴とする請求項１の施術シート。
【請求項３】
前記突起がリング中央部の孔を貫通して、突起の側面がリングに固定され、かつリングの底面が前記表地に固定されている、ことを特徴とする請求項２の施術シート。
【請求項４】
前記突起が前記表地上に複数列に配列されている、ことを特徴とする請求項２または３の施術シート。
【発明の詳細な説明】
【技術分野】
【０００１】
この発明は電位治療器に用いる施術シート関し、特に広い範囲に容易に施術できかつ鍼法的効果がある施術シートに関する。
【背景技術】
【０００２】
炭素繊維のシート等を内蔵した可撓性のシートを人体に巻き付けあるいはあてがい、炭素繊維に所定の電位を加える電位治療器が知られている（例えば特許文献１  特許４６９７６８７）。しかしながらこの治療器は人体に対し面状に電位を加えるだけで、鍼法的な効果はない。これに対して発明者は、
・  人体の広い範囲に施術でき、
・  鍼法的効果があり、
・  金属針によるアレルギーが無い、
施術シートを研究して、この発明に至った。
【先行技術文献】
【特許文献】
【０００３】
【特許文献１】特許４６９７６８７
【発明の概要】
【発明が解決しようとする課題】
【０００４】
この発明の課題は、人体の広い範囲に施術でき、鍼法的効果があり、かつ金属針によるアレルギーが無い、施術シートを提供することにある。
【課題を解決するための手段】
【０００５】
この発明は、電位治療器本体に接続される施術シートであって、
少なくとも、可撓性の第１のシートと、導電性でかつ可撓性の第２のシートと、可撓性の表地とがこの順に積層され、
カーボンもしくは貴金属から成る突起が、第２のシートに電気的に接続されると共に表地を貫通し、
さらに突起が表地上に複数個配列されている、ことを特徴とする。
【０００６】
この発明の施術シートは電位治療器本体に接続され、腕、脚、首等に巻き付けられ、あるいは腰、背中等の患部に接触するように固定される。すると施術シートの突起が人体に接触して鍼法的効果を及ぼすと共に、突起が第２のシートに電気的に接続されているため、人体組織に所定の電位を加え、人体組織を付活する。施術シートは可撓性の第１の及び第２のシートと可撓性の表地とを主な要素とするので、人体に沿うように変形する。また突起は表地上に複数個配列されているので、広い範囲に一括して施術でき、突起を人体に接触させることにより刺激を加え、鍼法的効果を得ることができる。さらに突起はカーボンもしくは貴金属からなるため、金属アレルギーを起こすことがない。
【０００７】
好ましくは、第２のシートは炭素繊維のシートで、突起は棒状のカーボンから成り、突起が第２のシートを貫通すると共に、第１のシート中に突起の基部が埋め込まれている。炭素繊維のシートは折り曲げ等の変形に強く、濡れても劣化しない。またカーボンの突起は安価で、疎水性であるため汗等が付着しにくい。カーボンの突起は棒状で、第２のシートである炭素繊維のシートを貫通して第１のシートに基部が埋め込まれているので、施術シートに確実に取り付けることができ、かつ炭素繊維のシートに確実に電気的に接続できる。なお炭素繊維のシートとは、例えば炭素繊維の織布、不織布である。これらの中でも、炭素繊維の織布が、変形に強くかつ解けにくいので、好ましい。
【０００８】
また好ましくは、棒状のカーボンの突起はリング中央部の孔を貫通して、突起の側面がリングに固定され、かつリングの底面が表地に固定されている。このようにすると、リングにより側面を固定することにより、棒状のカーボンから成る突起が倒れることを防止できる。
【０００９】
特に好ましくは、突起が表地上に複数列に、例えば突起が６角形の頂点を占めるように、あるいは突起が碁盤目の目の位置を占めるように配列されている。このようにすると面状に広い範囲に施術できる。
【図面の簡単な説明】
【００１０】
【図１】電位治療器のブロック図
【図２】実施例の施術シートの平面図
【図３】他の実施例の施術シートの平面図
【図４】さらに他の実施例の施術シートの平面図
【図５】実施例の施術シートの断面図
【図６】参考例の施術盤の断面図
【図７】参考例の施術盤の平面図
【図８】複数の施術シートへの配線に用いるソケットの断面図
【発明を実施するための形態】
【００１１】
以下に、本願発明の最適実施例を示す。本願発明の実施に際しては、当業者の常識及び先行技術の開示に従い、実施例を適宜に変更できる。
【実施例】
【００１２】
図１〜図８に実施例とその変形等を示す。図１は電位治療器２の構成を示し、４は施術シートで、カーボンの突起６が複数列にかつ例えば６角形の頂点を占めるように配置され、カーボンの突起６はプラスチック等のリング８の中央の孔を貫通し、リング８は織布から成る可撓性の表地１０に固定されている。カーボンの突起６は黒鉛、不定形炭素、カーボンブラック、あるいはフラーレン等のナノカーボン等で構成され、棒状でかつ導電性がある。１２はAC電源で、１４はトランス、１６はダイオードブリッジで、他の整流回路でも良く、１８は平滑用のコンデンサ、２０は電流制限用の抵抗である。電位治療器２は例えばDC-200V等の負の電位を出力するが、交流の電位を出力しても良い。また電池からの直流電圧を交流電圧に変換して昇圧し、直流電圧に変換して負の電位としても良い。２１はソケットで、複数個の施術シート４を電位治療器２に接続するためのものである。
【００１３】
図２の施術シート４の詳細を示し、シート４は例えば長方形状で、可撓性があり、人体に沿うように変形する。なお施術シート４に図示しないベルト、マジックテープ（登録商標）等を取り付け、人体に固定できるようにしても良い。施術シート４は、配線２２により前記のソケット２１側へ接続される。配線２２は撚り線２３を備え、金具２４により施術シート４に固定されている。
【００１４】
図３の施術シート３４は、カーボンの突起６を六角形の頂点に配置したものである。また図４の施術シート４４は、カーボンの突起６を１列に配列したものである。図２，図３のように、カーボンの突起６を複数列に配列すると広い範囲に施術でき、また図２，図３のように、カーボンの突起６を６角形の頂点を占めるように配置すると、人体のいわゆるつぼの位置にカーボンの突起６を配置することが容易になる。なおカーボンの突起６を複数列に、例えば碁盤目状に配置しても良い。
【００１５】
図５は図２の施術シート４の構造を示し、図３，図４の施術シート３４，４４でも同様である。５０は炭素繊維の織布で、ポリテトラフルオロエチレン（PTFE）繊維でカーボンブラックをシート状に成型したカーボンシート等でも良いが、炭素繊維の織布の方が変形に強い。また炭素繊維の不織布でも良いが、繊維が解けることがある。さらにプラスチックフィルムにアルミニウム、銅等を蒸着したものでも良いが、濡れると蒸着したアルミニウム、銅等の膜が剥がれることがある。また繰り返して折り曲げると、アルミニウム、銅等の膜が切れることがある。これ以外に銅、アルミニウム等の細線から成る金網でも良いが、折り曲げにくい。
【００１６】
炭素繊維の織布５０の下地としてウレタン等の発泡シート５２が有り、カーボンの突起６は発泡シート５２と炭素繊維の織布５０と表地１０と、リング８とを貫通している。また５６は織布から成る可撓性の裏地で、設けなくても良い。表地１０，カーボン繊維の織布５０，発泡シート５２，裏地５６は全て可撓性で、発泡シート５２は可撓性と厚さとを備えたシートが好ましく、プラスチックのファーバーを編んだもの等でも良い。また表地１０と裏地５６は絶縁性であることが好ましい。
【００１７】
図５の左下に示すように、カーボンの突起６は棒状で、ここでは先端を尖らせているが、丸棒状、円錐状等でも良く、例えば導電性接着剤５４により炭素繊維の織布５０と発泡シート５２とに固定されている。そして接着剤５５によりカーボンの突起６の側面がリング８に固定され、リング８の底面は接着剤５５により表地１０に固定され、接着剤５５は表地１０の底部まで浸透して、表地１０と炭素繊維の織布５０とを固定している。
【００１８】
図５の右下に示すように、配線２２の撚り線２３とカーボン繊維の織布５０と金具２４とが、導電性接着剤５４により固定されている。なお撚り線２３を金具２４に半田付けし、金具２４を織布５４に圧着、あるいはバネによる挟み込み等で固定するようにしても良い。即ち、撚り線２３をカーボン繊維の織布５０に電気的に接続する手法は任意である。
【００１９】
施術シート４，３４，４４は可撓性があり、人体に合わせて変形し、腕、脚、首等に巻き付け、あるいは図示しないベルト等を用いて、背中、腰等の患部に固定する等のことができる。ソケット２１を介して施術シート４，３４，４４に負の電位を加えると、炭素繊維の織布５０を介してカーボンの突起６から人体に負の電位が加えられ、カーボンの突起６の先端から人体に電子を注入できる。この時、突起６を複数列に配列すると、広い範囲に同時に施術できる。またカーボンの突起６は、鍼法での針と同様に、人体のいわゆるつぼに刺激を与え、人体組織を活性化する。なお抵抗２０のため、過大な電流が流れることはない。  
【００２０】
カーボンの突起６は金属を含まないので、アレルギーを起こすことがない。なお白金、金等の貴金属の突起、あるいはカーボンの突起６に無電解メッキにより白金、金等の貴金属メッキを施したもの等を用いても良いが、貴金属100%の突起は高価で、メッキでは耐久性に欠ける。カーボンの突起６は撥水性があるため、人の汗等が付着しにくく衛生的である。
【００２１】
図６，図７は数カ所に同時に施術するための施術盤６０を示し、６２は炭素繊維の織布、６４はプラスチック等の板状の底、６６は絶縁性の蓋、７０はリングである。そして織布６２と蓋６４とによりカーボンの突起６が支持され、織布６２と蓋６４はリング７０により囲まれている。
【００２２】
図８はソケット２１を示し、複数の施術シート４，３４，４４を同時に使用するためのものである。絶縁リング８２内に、例えば大径の銅パイプ８３と小径の銅パイプ８４とが固定され、パイプ８３，８４の先端が銅リング８６等で互いに電気的に接続されている。なお銅リング８６を用いず、パイプ８３，８４の先端を銅線等で互いに接続しても良い。そして銅リング８６の内側に絶縁部材８８が配置されている。例えばプラグ９０を抵抗２０側へ接続し、プラグ９２，９３を施術シート３，３４，４４及び施術盤６０等へ接続する。このようにすると、電位治療器２の本体を複数の施術シート３，３４，４４等で共用し、同時に複数の患者に、あるいは１人の患者の複数の個所に施術できる。またパイプの径を複数種類設けると、種々の施術具に対応できる。
【００２３】
実施例では治療者が患者に施術することを前提に説明したが、患者が自分で施術シート４，３４，４４を使用しても良い。
【符号の説明】
【００２４】
２          電位治療器
４          施術シート
６          カーボンの突起
８          リング
１０        表地
１２        AC電源
１４        トランス
１６        整流回路
１８        コンデンサ
２０        抵抗
２１        ソケット
２２        配線
２３        撚り線
２４        金具
３４，４４  施術シート
５０        炭素繊維の織布
５２        発泡シート
５４        導電性接着剤
５５        接着剤
５６        裏地
６０        施術盤
６２        炭素繊維の織布
６４        底
６６        蓋
７０        リング
８２        絶縁リング
８３，８４  銅パイプ
８６        銅リング
８８        絶縁部材
９０，９２，９３  プラグ
【図１】
2014039773.tif 000003
【図２】
2014039773.tif 000004
【図３】
2014039773.tif 000005
【図４】
2014039773.tif 000006
【図５】
2014039773.tif 000007
【図６】
2014039773.tif 000008
【図７】
2014039773.tif 000009
【図８】
2014039773.tif 000010